(57)【要約】      （修正有）【課題】刺し子織りの布地によって作務衣等以外の用途に使用できる布製品を提供する。【解決手段】織地の適宜方向に刺し子糸２を織り込み、かつ、裏地１２における平面視４ｃｍ２あたり１ｃｍ２以上の割合で刺し子糸を露出させた布地１を構成し、この布地を縫製してなる。布地は、表地１１における平面視９ｃｍ２あたり１ｃｍ２以上１．５ｃｍ２以下の割合で刺し子糸を露出してなる。シャツ若しくはジャケット、パンツ若しくはズボン、帽子若しくはバンダナ、医療用若しくは介護用ベッドに使用するシーツ、または、医療用若しくは介護用の衣類の一部または全部に上記布地を使用する。【選択図】図１
0003144913.tif 000002
【実用新案登録請求の範囲】
【請求項１】
織地の適宜方向に刺し子糸を織り込み、かつ、裏地における平面視４ｃｍ２あたり１ｃｍ２以上の割合で刺し子糸を露出させた布地を構成し、この布地を縫製してなることを特徴とする刺し子織り布製品。
【請求項２】
織地の適宜方向に刺し子糸を織り込み、かつ、裏地における平面視４ｃｍ２あたり１ｃｍ２以上１．５ｃｍ２以下の割合で刺し子糸を露出させた布地を構成し、この布地を縫製してなることを特徴とする刺し子織り布製品。
【請求項３】
前記布地は、表地における平面視９ｃｍ２あたり１ｃｍ２以上１．５ｃｍ２以下の割合で刺し子糸を露出してなる布地である請求項１または２記載の刺し子織り布製品。
【請求項４】
前記布地をシャツまたはジャケットの一部または全部に使用して縫製してなる請求項１ないし３のいずれかに記載の刺し子織り布製品。
【請求項５】
前記布地をパンツまたはズボンの一部または全部に使用して縫製してなる請求項１ないし３のいずれかに記載の刺し子織り布製品。
【請求項６】
前記布地を帽子またはバンダナの一部または全部に使用して縫製してなる請求項１ないし３のいずれかに記載の刺し子織り布製品。
【請求項７】
前記布地を医療用または介護用ベッドに使用するシーツの一部または全部に使用して縫製してなる請求項１ないし３のいずれかに記載の刺し子織り布製品。
【請求項８】
前記布地を医療用または介護用の衣類の一部または全部に使用して縫製してなる請求項１ないし３のいずれかに記載の刺し子織り布製品。
【考案の詳細な説明】
【技術分野】
【０００１】
本考案は、刺し子織りしてなる布製品に関し、特に、刺し子糸を表地または裏地に適宜面積に相当する範囲に露出してなる布製品に関するものである。
【背景技術】
【０００２】
刺し子は、生地に一枚の布をあてがって糸を刺し縫いするものであって、「こぎん刺し子」、「菱刺し子」および「庄内刺し子」に代表されるように農耕着の補強のために使用されてきた。また、機械織りにより太糸が表面または裏面にあらわれるように織った刺し子織りは、その太糸が織り込まれることにより、上記刺し子と同様に強度を有するものであり、刺し子織りされた布地は、伝統的に作務衣（非特許文献１）または武道着（非特許文献２）に使用されていた。
【非特許文献１】ｈｔｔｐ：／／ｗｗｗ．ｓａｍｕｅ−ｅ．ｃｏｍ／ｇｏｏｄｓ１３２３．ｐｈｐ
【非特許文献２】ｈｔｔｐ：／／ｗｗｗ．ｒａｋｕｔｅｎ．ｃｏ．ｊｐ／ｋｅｎｄｏｕｇｕ／１３９２５４６／１３９２５４７／１３９２５５４／
【考案の開示】
【考案が解決しようとする課題】
【０００３】
上記従来例は、いずれも刺し子織りによる強度を利用するものであったが、長期使用が可能であることから、これらの用途以外にも刺し子織りした布地によって縫製された布製品が切望されていた。しかしながら、刺し子織りされた布地は、少なくとも刺し子用の太糸が織り込まれることから、全体として厚地に構成されることとなり、他の用途に使用することが困難であった。
【０００４】
本考案は、上記諸点にかんがみてなされたものであって、その目的とするところは、刺し子織りの布地によって作務衣等以外の用途に使用できる布製品を提供することである。
【課題を解決するための手段】
【０００５】
そこで、本考案は、織地の適宜方向に刺し子糸を織り込み、かつ、裏地における平面視４ｃｍ２あたり１ｃｍ２以上の割合で刺し子糸を露出させた布地を構成し、この布地を縫製してなることを特徴とする刺し子織り布製品を要旨とする。
【０００６】
上記構成によれば、布地の裏面に適度な間隔で凹凸が形成され、素肌またはインナーウエアとの接触面積を減少させることができるとともに、刺し子糸が適宜間隔で織り込まれることにより、隣接する刺し子糸の中間の織り目が粗くなることから、通気性をよくすることとなる。また、裏面に露出する刺し子糸の凸部が擦り切れることにより吸湿性を向上させることとなる。
【０００７】
また、本考案は、織地の適宜方向に刺し子糸を織り込み、かつ、裏地における平面視４ｃｍ２あたり１ｃｍ２以上１．５ｃｍ２以下の割合で刺し子糸を露出させた布地を構成し、この布地を縫製してなることを特徴とする刺し子織り布製品を要旨とする。
【０００８】
上記構成によれば、布地の裏面には適度な割合で刺し子糸が露出することとなり、刺し子糸全体の一部が素肌またはインナーウエアに接触することとなるから、素肌またはインナーウエアに広い面積で刺し子糸が接触することがなく、通気性を向上させることができる。
【０００９】
上記両考案の布地は、表地における平面視９ｃｍ２あたり１ｃｍ２以上１．５ｃｍ２以下の割合で刺し子糸を露出してなる布地とすることができる。この場合、布地の表面においても適度の凹凸を構成させることができるので、当該布製品を覆うように重ね着することにより、布地部分に空気層を構成させることとなり、保温性を向上させることとなる。
【００１０】
また、上記布地をシャツ若しくはジャケットの一部若しくは全部に使用して縫製してなること、パンツ若しくはズボンの一部若しくは全部に使用して縫製してなること、帽子若しくはバンダナの一部若しくは全部に使用して縫製してなること、医療用若しくは介護用ベッドに使用するシーツの一部若しくは全部に使用して縫製してなること、または、医療用若しくは介護用の衣類の一部若しくは全部に使用して縫製してなることができる。
【００１１】
この場合、適度な強度を有しつつ肌またはインナーウエアとの接触面積を減少させることができ、それぞれに適する布製品を得ることができる。特に、医療用または介護用ベッドに使用するシーツに縫製する場合には、使用する患者または被介護者の衛生面を向上させ、医療用または介護用の医療に縫製する場合には、ベッド間の移乗の際、介護者が衣類を掴むことも可能となり、また、衛生的な環境を提供することができる。
【考案の効果】
【００１２】
本考案によれば、刺し子織りの布地によって作務衣等以外の用途に使用できる布製品を提供できる。特に、刺し子糸の存在により、全体的に厚手の布地となるため、夏季における使用が困難とされていたが、裏面に適当な割合で刺し糸を露出することにより通気性を向上させることができることから、夏季の使用も可能である。また、冬季においても、重ね着によって内部に空気層を確保できるから保温効果を得やすくなる。
【００１３】
さらには、刺し子織り特有の効果として、表面に所望の模様を施すことができるから、デザイン性に優れた布製品を提供することができるうえ、刺し子織りによる強度は低下することがないので、医療用または介護用のベッドシーツまたは衣類に使用するときには、長期使用に耐えるほか、患者または被介護者の移乗の手助けの際には、当該シーツまたは衣類を掴みながら援助することが可能となる。この場合においても通気性および吸湿性が良好であるから、医療用および介護用のシーツや衣類を縫製することに適するものである。
【考案を実施するための最良の形態】
【００１４】
以下、本考案の実施の形態を図面に基づいて説明する。図１は、刺し子織りした布地１により縫製される布製品の一例としてジャケットＡを示している。このジャケットＡは、通常の生地を仕立てる場合と同様に、大きな布地１がパーツ１ａ，１ｂ・・・ごとに所定形状に裁断され、それらが縫合されることにより、所定のデザインに仕上げられるものである。ここで、パーツ１ａ，１ｂ・・・に使用させる布地１は、表側（これを表地という）１１と裏側（これを裏地という）１２の双方に、比較的太い糸（これを刺し子糸と称する）２が露出しているが、表地１１と裏地１２では露出割合がことなり、両者１１，１２が明確に区別されている。すなわち、刺し子糸２の露出割合が小さい側が表地１１であり、露出割合の大きい側が裏地１２である。なお、布地１の表地１１は、刺し子糸２によって幾何学模様を現出させるため、露出する位置が整えられ、また、各パーツ１ａ，１ｂ・・・に要求される強度に応じて繊維（刺し子糸２）の向きが決定されている。
【００１５】
ここで、布地１の表裏の刺し子糸２の状態について説明する。図２（ａ）は布地１の表地１１を拡大して示した図であり、図２（ｂ）は裏地１２を拡大した図である。この図に示すように、表地１１は裏地１２に比較して刺し子糸２が露出する程度が少なくなっている。これは、刺し子糸２が、所定方向に連続する糸であるため、これが生地に織り込まれるとき、表地１１か裏地１２のいずれか一方に露出する関係となるから、裏地１２に露出させると表地１１には現れず、裏地１２に刺し子糸２を多く露出させる場合、結果的に、表地１１に露出する頻度が少なくなるからである。しかも、裏地１２に刺し子糸２を多く露出させることにより、裏地１２の表面に多数の凹凸を構成させることを目的としていることから、表地１１に現出される刺し子糸２は相対的に少なくなるのである。また、表地１１には所望の幾何学模様を現出させることにより、デザイン性に優れた布製品を構成させることとなるが、裏地１２よりも相対的に少ない刺し子糸２を露出させることにより、上記模様を効果的に現出させることとなる。
【００１６】
そして、図２（ａ）に示されているように、表地１１に現出される幾何学模様を正方形とし、これを規則的に繰り返すデザインを構成することにより、図２（ｂ）において示されるように、裏地１２には、規則的なパターンで刺し子糸２を露出させることとなる。このように、繰り返し模様を形成することにより、基本パターンを一単位として表地１１と裏地１２の刺し子糸２の露出割合を調整すれば、表地１１および裏地１２の全体における割合を調整することができる。そこで、図示のように、基本パターンを平面視正方形とすることを想定することができる。この場合、平面視における当該パターンの１ピッチあたりの一辺の長さｘ，ｙをそれぞれ１．６ｃｍとすると、上記正方形の面積は２．５６ｃｍ２となる。そして、この正方形の範囲内に２５ヵ所で刺し子糸２を露出するとして、１ヵ所の平面視における露出面積を０．０３ｃｍ２とすることにより、露出される刺し子糸２の合計面積は０．７５ｃｍ２となるから、裏地１２の全体に占める刺し子糸２の露出割合は、平面視において４：１．１７となる。すなわち、裏地１２における平面視４ｃｍ２あたり１．１７ｃｍ２を露出する布地を構成することができるのである。
【００１７】
また、上記と同一形態において、４ｃｍ２中に１ｃｍ２の刺し子糸２を露出させるためには、刺し子糸２の平面視における１ヵ所の露出面積を０．０４ｃｍ２とし、かつ、当該糸２を上記と同様の正方形（面積２．５６ｃｍ２）の中に１６ヵ所で刺し子糸２を露出させることにより、その合計面積は０．６４ｃｍ２となるから、裏地１２の全体の面積（２．５６ｃｍ２）に占める刺し子糸２の露出割合を４：１にすることができるのである。すなわち、裏地における平面視４ｃｍ２あたり１ｃｍ２の割合で刺し子糸２を露出させることができるのである。
【００１８】
さらに、同様にして、刺し子糸２の露出を２４ヵ所とすることにより、１ヵ所の露出面積を０．０４ｃｍ２とすれば、正方形（面積２．５６ｃｍ２）の中に０．９６ｃｍ２の刺し子糸２を露出させることが可能となるから、その露出割合を４：１．５とすることができるのである。すなわち、裏地における平面視４ｃｍ２あたり１．５ｃｍ２の割合で刺し子糸２を露出させることができるのである。なお、裏地１２に２４ヵ所で露出させるためには、図示の正方形を裏地１２に現出させる場合、一辺あたり５ヵ所を予定することで２５ヵ所の露出部分を得ることが可能となるから、そのうちの１ヵ所を表地１１に露出させることにより、裏地１２に２４ヵ所を露出させることができる。
【００１９】
他方、表地１１に露出する刺し子糸２の露出面積率は、上記裏地１２における刺し子糸２の露出割合に応じて変化することとなるが、刺し子糸２の織り込み間隔を変化させることにより、裏地１２における刺し子糸２の露出面積を調整すると同時に表地１１における刺し子糸２の露出面積を調整することが可能となる。
【００２０】
すなわち、上記と同様の正方形（２．５６ｃｍ２）における表地１１において、大きく露出させる部分（０．０３ｃｍ２）を７ヵ所（合計０．２１ｃｍ２）と、小さく露出させる部分（０．０１ｃｍ２）を１８ヵ所（合計０．１８ｃｍ２）により、露出面積の合計が０．３９ｃｍ２となる。そうすると、正方形の全体面積（２．５６ｃｍ２）と比較すると、全体の面積：露出面積は、約９：１．３７となり、布地１の全体について、平面視９ｃｍ２あたり約１．３７ｃｍ２の露出面積を得ることができるのである。なお、上記における小さく露出させる部分は、裏地１２における露出部分を断続的に形成するために、必然的に表地１１に露出することとなった部分であるが、これを予め想定しておくことにより、刺し子糸２の太さ（デニール）や織り込み間隔を調整することができるのである。
【００２１】
因みに、刺し子糸２の太さを直径１ｍｍとしたとき、長さ方向に３ｍｍ露出させることにより、当該部分の平面視における露出面積は０．０３ｃｍ２となる。そこで、この太さの刺し子糸２を一辺１．６ｃｍの範囲において平行に８本並べるとすると、一辺１．６ｃｍの正方形中で、刺し子糸２を露出できる最大面積は、１．６ｃｍ×０．１ｃｍ×１８＝２．８８ｃｍ２となる。このうち、刺し子糸２が、表地１１から裏地１２に移動する部分および裏地１２から表地１１に戻る部分は、表地１１および裏地１２のいずれにも露出しないこととなるから、これを除くと、図２の例では、表裏わせて１００ヵ所存在するため、それらが個々に０．０１７４ｃｍ２程度発生すると仮定すると、全体で１．７４ｃｍ２となり、残余の１．１４ｃｍ２が表地１１または裏地１２のいずれかに露出できる面積となる。これを上記のようなパターンで露出させるときには、裏地１１には０．７５ｃｍ２、表地１１には０．３９ｃｍ２が露出することとなる。
【００２２】
なお、上記実施例は、いずれも裏地１２に露出する刺し子糸２の基本的パターン形状を正方形とした場合であるが、その形状は任意であって、種々の形状を構成することは可能である。その際、基本的形状に必要な裏地１２の平面視における面積に対し、刺し子糸２の露出ヵ所数および個々の糸の露出面積を調整することで、裏地１２に占める刺し子糸２の平面視における露出面積を調整することができるのである。
【００２３】
上記のように、刺し子糸２の露出ヵ所の個数等により平面視における表地１１および裏地１２の平面視における露出割合が決定することができるのであるが、刺し子織りされた布地は、図３に示すように、織り地の所定方向に刺し子糸２を織り込んで構成されるものである。この図は、図２（ａ）におけるＢ１−Ｂ２，Ｃ１−Ｃ２部を拡大した模式図であり、平織りによる織り地を例示しつつ刺し子糸２の折り込み状態を示している。この図に示すように、基本となる織り地は、経糸３と緯糸４により構成されるが、数本（図では３本）の経糸３を中間にして当該経糸３と同じ方向に１本の刺し子糸２が配置されている。刺し子糸２は、緯糸４の上を越えるか、または、緯糸４の下を潜行するかによって、表地１１または裏地１２のいずれか一方に露出するように織り込まれている。そして、裏地１２に刺し子糸２をより多く露出させるためには、刺し子糸２が１本の緯糸４の上を越える一方、数本（例えば３本）の緯糸４の下を潜行するように織り込むようにするのである。また、図示において隣接する刺し子糸２は、中間に３本の経糸３が介在しているが、この中間の経糸３の本数を変化させることにより、表地１１および裏地１２に露出する刺し子糸２の面積を変更することが可能となる。すなわち、それぞれの隣接する刺し子糸２の中間に経糸を２本ずつ介在させる場合は、両者１１，１２に露出する刺し子糸２の露出面積は増大し、４本ずつ介在させるときには露出面積が減少する。また、３本介在させる位置と２本（または４本）介在させる位置を適宜混在させることによっても露出面積を変化させることが可能となる。
【００２４】
上記のいずれの場合においても、刺し子糸２は、経糸３と平行に、つまり、経糸３と同じ方向に連続して（長手方向を経糸３の方向に合わせて）配置されていることから、刺し子糸２が織り込まれた布地１は、経糸３の方向に強靱となる。従って、縫製される布製品のうち、強度が要求される方向に経糸３の方向を合わせて縫製することにより、縫製された布製品は耐久性に優れたものとなるのである。
【００２５】
そして、上記のように刺し子糸２を織り込む場合、図４（ａ）に示すように、刺し子糸２が１本の緯糸４ｃの上を越える部分では、当該刺し子糸２が緯糸４ｃを下向きに（裏地１２に向けて）沈めるように織り込まれるため、表地１１に露出する刺し子糸２の面積が小さくなり得ることとなる。これは、刺し子糸２が通過する部分には経糸３に代わって刺し子糸２が配置されているため、刺し子糸２が１本の緯糸４ｃを超える部分では、結果的に当該１本の緯糸４のみで刺し子糸２を支えることとなるから、刺し子糸２に引き寄せられて下向きに（裏地１２に向けて）移動することとなるのである。
【００２６】
他方、経糸３は、図４（ｂ）に示すように、刺し子糸２の織り込まれる個所には存在せず、その両側に接近して、または、所定間隙を有して配置されるものであるから、当該刺し子糸２の存在により糸３が沈んだり浮き上がったりすることはないのである。ただし、平織りの場合には、緯糸４との間で上下交互に交差されることから、図示のような経糸３の浮き沈みは生じ得る。しかし、図は説明の便宜上経糸３および緯糸４の径を大きく表現したものであり、現実の生地そのものがこのように蛇行するものではない。
【００２７】
上記のように、刺し子糸２は、裏地１２に断片的に（断続的に）露出するように織り込まれることから、図４（ａ）および（ｂ）において詳細に示されているように、裏地１２に複数の凹凸が形成されることとなるのである。裏地１２から観察するとき、この図に示されているように、刺し子糸２が裏地１２に露出する部分が凸部ＣＶとなり、表地１１に露出する部分が凹部ＣＣとなるのである。そして、上記凸部ＣＶは、所定の面積を有して露出する刺し子糸２で形成されるから、凹部ＣＣとの間において十分な空間を形成させることが可能となるのである。
【００２８】
次に、上記のように形成された布地１を使用した場合の実験例を説明する。上述のように、適宜間隔で刺し子糸２を表地１１および裏地１２に露出し、平面視における刺し子糸２の露出面積の割合を変化させた７種類の布地を試作し、それぞれについて長袖シャツを縫製し、これを着用して試験を行った。実験方法は、同一人が同一条件下において、異なる露出割合のシャツをそれぞれ肌着の上に着用し４時間経過後に評価したものである。なお、表地１１における刺し子糸２の露出割合を変化させるときは、裏地１２の露出割合を４：１．１７とし、逆に、裏地１２の露出割合を変化させるときには、表地１１の露出割合を９：１．３７に固定した布地を使用した。
【００２９】
裏地１２についての実験結果は表１に示すとおりである。面積比４：１〜４：１．５の範囲内にある布地を使用するときは、通気性、肌触りおよび風合い全ての項目で良好であった。肌触りについては、４：１よりも露出面積が小さくなると密着感が増し、少し悪いという結果であった。また、逆に露出面積を大きくした場合においても４：２以上では、シャツの重量が大きくなるためか、部分的な肌触りが悪く、評価としては少し悪いという結果となった。なお、通気性の観点からは、４：０．７５以上の面積比であれば概ね良好であることが判明したが、風合い（これは全体の質感や柔軟性などの総合的なもの）の観点からは、露出面積が小さいときは、薄手の綿シャツのような風合いを有するため、少し悪いという評価となり、４：１．７５以上においても多少ゴワゴワした硬質感があるものの普通の評価を得ることができた。以上から、総合的な評価として４：１〜４：１．５の範囲内であれば良好なものということができる。
【００３０】
他方、表地１１についての実験結果は表２に示すとおりである。この実験結果からも理解できるように、露出比が９：１〜９：１．５の範囲内において良好であった。評価項目中の模様とは、表地１１に現出させることのできる模様のバリエーションを評価したものであって、現実に着用することなく試作段階で評価したものである。そして、他の評価項目中の着心地については、９：２以上の割合で表面に露出する場合、柔軟性に欠けるなどの理由から悪いとの評価となった。なお、風合いの評価については全体的に良好であったが、露出割合が小さくなることにより表地１１に現出する風合いが悪いとの評価を得ることとなった。これは、表地１１に現れる模様の明確性が減少したためと考えられる。
【００３１】
以上の結果から、裏地１２における刺し子糸２の露出割合は、４：１以上であれば良好であり、４：１〜４：１．５の範囲内であれば一層好適である。また、表地１１における刺し子糸２の露出割合については、９：１〜９：１．７の範囲内であれば好適であり、さらに、９：１〜９：１．５の範囲内であることが一層好適である。なお、実験ではシャツを試作したが、ズボンについても同様の結果となることは容易に推測でき得るものであり、他の布製品についても素肌に接触するものであれば裏地１２の評価は同様となり、上着として使用する布製品については表地１１の評価が同様となり得る。また、肌触りが良好であれば、インナーウエアとの接触状態も良好であることが推察でき得る。
【００３２】
以上のとおり、本考案の布製品は、その裏地１２には適宜間隔で凹凸が形成されることとなり、夏季における使用時には、インナーウエアまたは肌着とジャケットＡの裏地とが密着することを回避し、また、刺し子糸２の配置されていない織り目を介して空気の流通が可能となり、通気状態の良好な衣類を提供できることとなる。また、冬季における使用時には、さらに他の衣類（例えば、コートやブルゾンなど）を上に羽織ることにより、上記凹凸部分に空気の層を形成させることができ、断熱効果を向上させることとなる。
【００３３】
次に、他の実施形態について説明する。上述した実施形態ではジャケットＡおよびシャツについてのみ説明したが、その他の布製品に使用することが可能である。ズボンの素材に上述の布地を使用することができる。この場合、刺し子糸２が織り込まれる向きを、ズボンの丈方向に合わせて縫製することにより、脚の曲げ伸ばしによる丈方向に作用する引っ張り力に対して強靱性を発揮することができる。丈の短いパンツにおいても、刺し子糸２の方向を丈方向に合わせることにより、椅子との摩擦を生じる臀部を丈夫にすることができる。
【００３４】
また、帽子の鍔部を除く本体部分に上記布地を使用することができる。この場合、着用時の通気性を良好にすることで頭部の蒸れ防止を可能にする。さらに、図５に示すように、バンダナ風の帽子を構成することも可能である。バンダナ風帽子とは、バンダナのように頭皮に直接的に接触する頭部被覆部５と、固定用の紐部６とで構成される特殊な帽子であるが、各部材の布地は、刺し子糸２が織り込まれている方向が、前頭部側７から後頭部側８に向かう方向となるように、当該布地を配置しつつ縫製することにより、紐部で固定する際の引っ張り力に耐え得る構成することができる。
【００３５】
上記のほかに、医療用または介護用のシーツが考えられる。特に、褥瘡を発症するような場面においては、通気性の観点からも適するうえ、多数の凹凸を有する裏地１２をシーツ表面として縫製することにより、患部との接触面積が減少するという観点からも良好なシーツを提供できる。また、医療用または介護用の衣類全般については、裏地１２と素肌との接触面積が小さくなることから肌疾患を発症している患者に適したものとなる。さらに、介護用のシーツや衣類に使用する場合、移乗の際、または移動介護の際において、シーツや衣類を持って被介護者を誘導することがあり得るため、当該部分に刺し子糸２が織り込まれていることにより、長期使用に耐え得るシーツまたは衣類を提供できるものである。
【００３６】
本考案の実施形態は上記のとおりであるが、本考案の趣旨を逸脱しない範囲において種々の態様をとり得るものである。例えば、刺し子糸２により幾何学模様を現出させる際、上記実施形態および図面には正方形のみ記載したが、これらの模様は任意である。特に、縫製すべき対象物（布製品）の部位によって刺し子糸の密度が異なる布地を使用することも可能である。また、いわゆるジーパンと呼ばれるジーンズ地を縫製してなるズボンについて、これを改良したものとして、一部を上述の布地に交換してなる構成のズボンを縫製することも可能である。この種の改良例については、他の一般的な布製品について実施が可能である。
【図面の簡単な説明】
【００３７】
【図１】本考案の実施形態を示す説明図である。
【図２】実施形態に使用する布地の部分拡大図である。
【図３】図２のＢ１−Ｂ２，Ｃ１−Ｃ２部を拡大した模式図である。
【図４】（ａ）はＩＶＡ−ＩＶＡ断面図であり、（ｂ）はＩＶＢ−ＩＶＢ断面図である。
【図５】他の実施形態を示す説明図である。
【符号の説明】
【００３８】
１  布地
２  刺し子糸
３  経糸
４，４ａ，４ｂ，４ｃ，４ｄ  緯糸
１１  表地
１２  裏地
５  頭部被覆部
６  固定用紐部
７  前頭部側
８  後頭部側
ＣＣ  凹部
ＣＶ  凸部
【図１】
0003144913.tif 000003
【図２】
0003144913.tif 000004
【図３】
0003144913.tif 000005
【図４】
0003144913.tif 000006
【図５】
0003144913.tif 000007